(57)【特許請求の範囲】
【請求項１】
本体ケースに吸込口及び吐出口を形成すると共に、該吸込口から吐出口へと至る風路を同本体ケース内に設け、該風路の同吐出口付近に略渦巻形状の風洞部を形成して該風洞部内にシロッコファンを設け、該シロッコファンに至る同風路途中にフィルターを設けてなる空気清浄器であって、吐出口の中程から流出されるシロッコファンからの主流と、該シロッコファンの端部付近で同吐出口から流入する逆流と、を分離させる仕切壁を同吐出口内に設けてなる空気清浄器。
【請求項２】
仕切壁をシロッコファンの回転中心となる軸に対して直交する方向に形成したことを特徴とする請求項１記載の空気清浄器。
【請求項３】
仕切壁をシロッコファンへ向かって外側へ傾斜する方向に形成したことを特徴とする請求項１記載の空気清浄器。
【請求項４】
仕切壁を吐出口の外部へ延出させて突出仕切片を形成したことを特徴とする請求項１記載の空気清浄器。
【請求項５】
突出仕切片の突出先端縁に外側へ折曲した延設片部を形成したことを特徴とする請求項４記載の空気清浄器。
【請求項６】
仕切壁の外側に吐出口の内側壁との間で形成される逆流路の途中に補助フィルターを設けたことを特徴とする請求項１記載の空気清浄器。
【発明の詳細な説明】
【０００１】
【発明の属する技術分野】
本発明は、空気中に含まれる粉塵や臭気等を捕集して空気を清浄化する空気清浄器に関するものである。
【０００２】
【従来の技術】
従来から、空気中に含まれる粉塵や臭気等を捕集して空気を清浄化する空気清浄器は知られている。この種の空気洗浄器にあっては、例えば、図１０に示す如く構成されている。すなわち、本体ケース１に形成される吐出口３の付近に風洞部４が形成され、該風洞部４内にはシロッコファン５が設けられている。シロッコファン５はベアリング21で回動自在に支持された軸８上に設けられ、該軸８がモータ（図示せず）で駆動回転されることによって回転する。又、この場合、本体ケース１内の風洞部４に至るまでの風路途中には、粉塵や臭気等を捕集するフィルター（図示せず）が設けられている。
【０００３】
したがって、この場合、シロッコファン５が回転されると本体ケース１内に外部空気が吸い込まれ、該吸い込まれた空気は風路及び風洞部４を通って吐出口３から吐き出される。その際、風路途中を流れる空気から粉塵や臭気等がフィルターにより捕集されて同空気は清浄化され、該清浄化された空気が吐出口３から吐き出される。そのため、この空気清浄器を室内に設置して作動させることで、同室内の空気を循環させながら清浄化することができる。
【０００４】
【発明が解決しようとする課題】
しかしながら、上記従来の技術においては、フィルターの圧損が大きいと、風洞部４内のシロッコファン５に供給される空気の量は不足してしまい、該不足分を補おうとして、同シロッコファン５の端部付近で吐出口３の側端部から空気を吸い込んでしまい、該吐出口３内でその側壁に沿った逆流ｂが発生する。そのため、シロッコファン５によって吐出口３から吐き出される主流ａと前記逆流ｂとの接触により、騒音が増大するという問題を生じていた。しかも、逆流ｂが主流ａに接触すると、該主流ａに乱れを生じてその流れはスムーズでなくなり、フィルターを通り清浄化されて同主流ａとなる空気の量も減少するため、同フィルターによる捕集効率が低下するという問題を生じていた。
【０００５】
本発明は、上記従来の技術における問題を悉く解決するために発明されたもので、その課題は、騒音が低減され、フィルターによる捕集効率も向上される空気清浄器を提供することである。
【０００６】
【課題を解決するための手段】
本発明の請求項１記載の空気清浄器は、本体ケースに吸込口及び吐出口を形成すると共に、該吸込口から吐出口へと至る風路を同本体ケース内に設け、該風路の同吐出口付近に略渦巻形状の風洞部を形成して該風洞部内にシロッコファンを設け、該シロッコファンに至る同風路途中にフィルターを設けてなる空気清浄器であって、吐出口の中程から流出されるシロッコファンからの主流と、該シロッコファンの端部付近で同吐出口から流入する逆流と、を分離させる仕切壁を同吐出口内に設けてなる。
【０００７】
したがって、この場合、吐出口内に設けられる仕切壁によって、該吐出口の中程から流出されるシロッコファンからの主流と、該シロッコファンの端部付近で同吐出口から流入する逆流と、が分離されるので、同主流と逆流とは相互に接触することなく流れ、騒音が低減される。しかも、主流と逆流とが仕切壁の両側で相互に接触することなく離れて流れるので、空気の流れはスムーズとなり、フィルターを通り清浄化されて同主流となる空気の量も保たれて、同フィルターによる捕集効率が向上される。
【０００８】
本発明の請求項２記載の空気清浄器は、上記請求項１記載の空気清浄器において、仕切壁をシロッコファンの回転中心となる軸に対して直交する方向に形成したことを特徴としている。
【０００９】
したがって、この場合は特に、仕切壁がシロッコファンの回転中心となる軸に対して直交する方向に形成されているので、該シロッコファンからの主流の方向に対し同仕切壁は平行となり、該仕切壁の両側で同主流と逆流とが相互に逆方向となって直線的に抵抗少なく流れ、両者相互間の分離効果は高くなって、空気の流れがよりスムーズとなる。そのため、フィルターを通り清浄化されて主流となる空気の量も確保されて、同フィルターによる捕集効率が更に向上される。
【００１０】
本発明の請求項３記載の空気清浄器は、上記請求項１記載の空気清浄器において、仕切壁をシロッコファンへ向かって外側へ傾斜する方向に形成したことを特徴としている。
【００１１】
したがって、この場合は特に、仕切壁がシロッコファンへ向かい外側へ傾斜する方向に形成されているので、該シロッコファンへ近づく程に主流路面積は拡大し、該主流路からフィルターで清浄化された空気が多く吐き出され、逆に、同シロッコファンへ近づく程に逆流路面積は縮小して、該逆流路からの流入量が減少する。そのため、フィルターを通らず吐出口から流入した空気がそのまま同吐出口から流出される同空気の量は減少され、同フィルターによる捕集効率が更に向上される。
【００１２】
本発明の請求項４記載の空気清浄器は、上記請求項１記載の空気清浄器において、仕切壁を吐出口の外部へ延出させて突出仕切片を形成したことを特徴としている。
【００１３】
したがって、この場合は特に、仕切壁を吐出口の外部へ延出させて突出仕切片が形成されているので、該突出仕切片によって同吐出口の外側でも主流と逆流との接触は防止され、両者間での干渉が減少して、騒音は更に低減される。
【００１４】
本発明の請求項５記載の空気清浄器は、上記請求項４記載の空気清浄器において、突出仕切片の突出先端縁に外側へ折曲した延設片部を形成したことを特徴としている。
【００１５】
したがって、この場合は特に、突出仕切片の突出先端縁に外側へ折曲した延設片部が形成されているので、該延設片部を有する突出仕切片にガイドされて、吐出口から流入する逆流は主流から離れた外側からの流れとなり、同主流と逆流との間での干渉がより減少して、騒音はより確実に低減される。
【００１６】
本発明の請求項６記載の空気清浄器は、上記請求項１記載の空気清浄器において、仕切壁の外側に吐出口の内側壁との間で形成される逆流路の途中に補助フィルターを設けたことを特徴としている。
【００１７】
したがって、この場合は特に、仕切壁の外側に吐出口の内側壁との間で形成される逆流路の途中に補助フィルターが設けられているので、該補助フィルターによって同逆流路を通って流入する空気も清浄化され、同吐出口から清浄化されていない粉塵や臭気を含む空気が吐き出されることはほとんどなくなり、フィルターによる捕集効率が更に向上される。
【００１８】
【発明の実施の形態】
図１〜５は、本発明の請求項１、２に対応する一実施形態を示し、該実施形態の空気清浄器は、本体ケース１に吸込口２及び吐出口３を形成すると共に、該吸込口２から吐出口３へと至る風路を同本体ケース１内に設け、該風路の同吐出口３付近に略渦巻形状の風洞部４を形成して該風洞部４内にシロッコファン５を設け、該シロッコファン５に至る同風路途中にフィルター６（プレフィルター6a及び本フィルター6b）を設けてなり、このものにおいて、吐出口３の中程から流出されるシロッコファン５からの主流ａと、該シロッコファン５の端部付近で同吐出口３から流入する逆流ｂと、を分離させる仕切壁７を同吐出口３内に設けている。又、この場合に、仕切壁７をシロッコファン５の回転中心となる軸８に対して直交する方向に形成してもいる。
【００１９】
図２〜４に示す如く、本体ケース１は箱形状で、表ケース14と裏ケース15とが結合一体化されることで形成されている。本体ケース１はその表ケース14の前面下部で開口しており、該開口が吸込口２となると共に、その裏ケース15の底部分にも吸込口２が配設されている。本体ケース１内にはその下部に、プレフィルター6a、放電極ブロック16、機械的に粉塵を集塵する本フィルター6bが、下からこの順で収容設置されている。
【００２０】
この場合、プレフィルター6a、放電極ブロック16、本フィルター6bは、前記吸込口２となる開口から出し入れされ得るもので、該開口を閉じる前蓋カバー17が本体ケース１の表ケース14前面を覆うように取り付けられている。ここでは、前蓋カバー17の下部に、吸込口２となる開口と連通する通気ルーバー部18が形成されている。又、前記裏ケース15の底部分に配設される吸込口２も同様に、通気ルーバー形状となっている。
【００２１】
図５に示す如く、本体ケース１内には両側に風洞部４が配設され、両風洞部４内各々にシロッコファン５が配設されている。この場合、表ケース14に室内の空気を送るための送風部として、駆動モータ19と、該駆動モータ19の回転軸にカップリング20によって結合固着される軸８とが設けられており、該軸８の同カップリング20とは反対側の端部はベアリング21によって回動自在に支持固定されている。
【００２２】
そして、軸８上には二つのシロッコファン５が配設されており、両シロッコファン５の各々を囲むように風洞部４が形成されている。ここで、風洞部４は略渦巻形状であり、該略渦巻形状を前後に分割した形状が表ケース14及び裏ケース15に形成されていて、該表ケース14と裏ケース15との合体により同風洞部４は形成される。又、裏ケース15の上面には、図１〜３に示す如く、前記軸８と平行となる位置に吐出口３が形成され、この場合、両シロッコファン５各々に対応するよう同吐出口３は配設されている。
【００２３】
又、両吐出口３はいずれも通気ルーバー形状に形成されており、図１に示す如く、各吐出口３の両側部分に仕切壁７が配設されている。仕切壁７は薄板状で吐出口３の内側壁11に対して平行となり、該仕切壁７の外側に逆流ｂの流れる逆流路12が形成されている。仕切壁７は吐出口３が形成される裏ケース15と一体に形成されており、前記両シロッコファン５の両端部各々に対応するよう位置している。又、図２に示す如く、仕切壁７の突出側先端縁の一部分は、シロッコファン５の端部外周に沿った略円弧形状に形成されて該端部外周に近接されている。
【００２４】
該実施形態の空気清浄器における空気の流れは、図３に示す如く、吸込口２から流入した外部空気が、プレフィルター6a、放電極ブロック16、本フィルタ6bを通過して、ここで、除塵、脱臭され、そして、送風部となるシロッコファン５が収容された風洞部４を通過して吐出口３から流出される。その際、図１に示す如く、前記吐出口３から流出される空気の流れが主流ａとなり、該主流ａの両側において逆流ｂは逆流路12へと流入する。
【００２５】
したがって、該実施形態の空気清浄器を室内に設置して作動させることで、同室内の空気を循環させながら清浄化することができる。この場合、フィルター６（プレフィルター6a及び本フィルター6b）の捕集能力を高めようとすると、どうしても該フィルター６の圧損は大きくなり、このような場合に、シロッコファン５に供給される空気の量が不足しても、該不足分は同シロッコファン５の両端部付近で吐出口３から流入する逆流ｂによって補われ、該実施形態の空気清浄器が支障なく動作される。
【００２６】
そして、この場合に、図１に示す如く、吐出口３内に設けられる仕切壁７によって、該吐出口３の中程から流出されるシロッコファン５からの主流ａと、該シロッコファン５の両端部付近で同吐出口３両側から流入する逆流ｂと、が分離されるので、同主流ａと逆流ｂとは相互に接触することなく流れて、騒音が低減される。しかも、主流ａと逆流ｂとが仕切壁７の両側で相互に接触することなく離れて流れるので、空気の流れはスムーズとなり、フィルター６を通り清浄化されて同主流ａとなる空気の量も保たれて、同フィルター６による捕集効率が向上される。
【００２７】
更に、仕切壁７がシロッコファン５の回転中心となる軸８に対して直交する方向に形成されているので、該シロッコファン５からの主流ａの方向に対し同仕切壁７は平行となり、該仕切壁７の両側で同主流ａと逆流ｂとが相互に逆方向となって直線的に抵抗少なく流れ、両者相互間の分離効果は高くなって、空気の流れがよりスムーズとなる。そのため、フィルター６を通り清浄化されて主流ａとなる空気の量も確保されて、同フィルター６による捕集効率が更に向上される。
【００２８】
図６は、本発明の請求項１、３に対応する別の実施形態を示し、該実施形態の空気清浄器では、仕切壁７をシロッコファン５へ向かって外側へ傾斜する方向に形成している。この場合、吐出口３の内側壁11と仕切壁７との間で形成される逆流路12の巾寸法は、シロッコファン５の端部に近接する該仕切壁７の突出側先端縁における流路巾寸法βが同吐出口３における流路巾寸法αよりも狭くなり、同シロッコファン５から送風される空気はそのほとんどが無駄なく主流ａとなって同吐出口３から吐き出される。
【００２９】
したがって、該実施形態の空気清浄器においては、仕切壁７がシロッコファン５へ向かい外側へ傾斜する方向に形成されているので、該シロッコファン５へ近づく程に主流路面積は拡大し、該主流路からフィルター６で清浄化された空気が多く吐き出され、逆に、同シロッコファン５へ近づく程に逆流路12面積は縮小して、該逆流路12からの流入量が減少する。そのため、フィルター６を通らず吐出口３から流入した空気がそのまま同吐出口３から流出される同空気の量は減少され、同フィルター６による捕集効率が更に向上される。なお、それ以外は、上記図１〜５に示した実施形態と同様に構成され、請求項２に係る以外の作用効果が同上記実施形態におけると同様に奏される。
【００３０】
図７は、本発明の請求項１、２、４に対応する更に別の実施形態を示し、該実施形態の空気清浄器では、仕切壁７を吐出口３の外部へ延出させて突出仕切片９を形成している。この場合、吐出口３の両側に配設される仕切壁７と共に、突出仕切片９も同吐出口３の両側に配設されている。
【００３１】
したがって、該実施形態の空気清浄器においては、仕切壁７を吐出口３の外部へ延出させて突出仕切片９が形成されているので、該突出仕切片９によって同吐出口３の外側でも主流ａと逆流ｂとの接触は防止され、両者間での干渉が減少して、騒音は更に低減される。なお、それ以外は、上記図１〜５に示した実施形態と同様に構成され、同上記実施形態におけると同様の作用効果が奏される。
【００３２】
図８は、本発明の請求項１、２、４、５に対応する更に別の実施形態を示し、該実施形態の空気清浄器では、上記実施形態における両突出仕切片９の突出先端縁各々に、外側へ折曲した延設片部10を形成している。
【００３３】
したがって、該実施形態の空気清浄器においては、上記突出仕切片９の突出先端縁に外側へ折曲した延設片部10が形成されているので、該延設片部10を有する突出仕切片９にガイドされて、吐出口３から流入する逆流ｂは主流ａから離れた外側からの流れとなり、同主流ａと逆流ｂとの間での干渉がより減少して、騒音はより確実に低減される。なお、それ以外は、上記図７に示した実施形態と同様に構成され、同上記実施形態におけると同様の作用効果が奏される。
【００３４】
図９は、本発明の請求項１、２、６に対応する更に別の実施形態を示し、該実施形態の空気清浄器では、仕切壁７の外側に吐出口３の内側壁11との間で形成される逆流路12の途中に補助フィルター13を設けている。この場合、補助フィルター13は圧損が低いもので、例えば、不織布、スポンジ等でなり、逆流路12内の吐出口３の口縁部分に収容設置されている。
【００３５】
したがって、該実施形態の空気清浄器においては、仕切壁７の外側に吐出口３の内側壁11との間で形成される逆流路12の途中に補助フィルター13が設けられているので、該補助フィルター13によって同逆流路12を通って流入する空気も清浄化され、同吐出口３から清浄化されていない粉塵や臭気を含む空気が吐き出されることはほとんどなくなり、同補助フィルター13を含めたフィルター６による捕集効率が更に向上される。なお、それ以外は、上記図１〜５に示した実施形態と同様に構成され、同上記実施形態におけると同様の作用効果が奏される。
【００３６】
【発明の効果】
上述の如く、本発明の請求項１記載の空気清浄器においては、仕切壁により主流と逆流との接触が防止されて、騒音は低減され、しかも、空気がスムーズに流れ、フィルターを通り清浄化される空気の量も保たれて、該フィルターによる捕集効率は向上される。
【００３７】
又、本発明の請求項２記載の空気清浄器においては、特に、仕切壁の両側で主流と逆流とが直線的に抵抗少なく流れ、両者間の分離効果は高くなって、空気の流れがよりスムーズとなり、フィルターによる捕集効率は更に向上される。
【００３８】
又、本発明の請求項３記載の空気清浄器においては、特に、シロッコファンへ近づく程に逆流路面積が縮小して、該逆流路からの流入量は減少され、フィルターを通らず吐出口から流入した空気がそのまま同吐出口から流出される同空気の量は減少され、同フィルターによる捕集効率が更に向上される。
【００３９】
又、本発明の請求項４記載の空気清浄器においては、特に、仕切壁が吐出口の外部へ延出されてなる突出仕切片によって、同吐出口の外側でも主流と逆流との接触は防止され、両者間での干渉が減少して、騒音は更に低減される。
【００４０】
又、本発明の請求項５記載の空気清浄器においては、特に、外側へ折曲した延設片部を有する突出仕切片にガイドされて、吐出口から流入する逆流が主流から離れた外側からの流れとなり、同主流と逆流との間での干渉はより減少して、騒音がより確実に低減される。
【００４１】
又、本発明の請求項６記載の空気清浄器においては、特に、補助フィルターによって逆流路を通って流入する空気も清浄化され、吐出口から清浄化されていない空気が吐き出されることはほとんどなくなり、フィルターによる捕集効率が更に向上される。
【図面の簡単な説明】
【図１】本発明の一実施形態である空気清浄器の要部を示す縦断面図。
【図２】同空気清浄器の要部を示す異なる方向での概略縦断面図。
【図３】同空気清浄器の全体を示す縦断面図。
【図４】同空気清浄器の全体を示す分解斜視図。
【図５】同空気清浄器の全体を示す横断面図。
【図６】別の実施例である空気清浄器の要部を示す縦断面図。
【図７】更に別の実施例である空気清浄器の要部を示す縦断面図。
【図８】更に別の実施例である空気清浄器の要部を示す縦断面図。
【図９】更に別の実施例である空気清浄器の要部を示す縦断面図。
【図１０】従来例である空気清浄器の要部を示す縦断面図。
【符号の説明】
１  本体ケース
２  吸込口
３  吐出口
４  風洞部
５  シロッコファン
６  フィルター
6a  プレフィルター
6b  本フィルター
７  仕切壁
８  軸
９  突出仕切片
10  延設片部
11  内側壁
12  逆流路
13  補助フィルター
【図１】
0003975636.tif 000002
【図２】
0003975636.tif 000003
【図３】
0003975636.tif 000004
【図４】
0003975636.tif 000005
【図５】
0003975636.tif 000006
【図６】
0003975636.tif 000007
【図７】
0003975636.tif 000008
【図８】
0003975636.tif 000009
【図９】
0003975636.tif 000010
【図１０】
0003975636.tif 000011